(57)【要約】【課題】必要とする情報を効率よく収集し且つ収集したデータを少ないメモリ容量で有効に保持する無線タグ装置、無線タグ処理システム等を提供すること。【解決手段】自己のタグＩＤを格納し保存するタグＩＤ保存手段１１と、周囲環境等にかかる計測データを格納し保存する計測データ保存手段１３とを備え、外部からの要請に応じて前記保存された各情報を出力し又は他の情報を入力可能に構成された無線タグ装置であって、前記計測データ保存手段１３で保存する計測データの条件を計測条件として特定し記憶する計測条件保存手段１４を設け、この保存された計測条件を外部（無線タグ処理装置）からの要請に応じて前記タグＩＤと共に広告可能に構成したこと。【選択図】図１
2008217556.tif 000002
【特許請求の範囲】
【請求項１】
自己のタグＩＤを格納し保存するタグＩＤ保存手段と、周囲環境等にかかる計測データを格納し保存する計測データ保存手段とを備え、外部からの要請に応じて前記保存された各情報を出力し又は他の情報を入力可能に構成された無線タグ装置において、
前記計測データ保存手段で保存する計測データの条件を計測条件として特定し記憶する計測条件保存手段を設け、この保存された計測条件を外部からの要請に応じて前記タグＩＤと共に広告可能に構成したことを特徴とする無線タグ装置。
【請求項２】
前記請求項１に記載の無線タグ装置において、
前記タグＩＤとこれに対応した前記計測データの計測条件とを前記タグＩＤ保存手段及び計測条件保存手段からそれぞれ抽出し外部に向けて広告するタグ情報広告手段を、前記タグＩＤ保存手段併設したことを特徴とする無線タグ装置。
【請求項３】
前記請求項１又は２に記載の無線タグ装置において、
前記計測条件と前記タグＩＤとに基づいて作動し、前記計測データ保存手段に送り込む計測データの条件を外部装置の計測データ提供手段に対して設定する計測データ選択手段を具備したことを特徴とする無線タグ装置。
【請求項４】
自己のタグＩＤを格納し保存するタグＩＤ保存手段と周囲環境等にかかる計測データを格納し保存する計測データ保存手段とを有し、外部からの要請に応じて前記保存された各情報を出力し又は他の情報を入力可能に構成された無線タグ装置と、
前記周囲環境等のデータを測定するセンサーを有すると共に当該センサーで計測されたデータを要請に応じて前記無線タグ装置の計測データ保存手段に向けて送り込む計測データ提供手段を有する無線タグ処理装置とを備え、
無線タグ装置が、収集する計測データの条件を計測条件として特定し記憶する計測条件保存手段を備えると共に、
前記無線タグ処理装置が、前記無線タグ装置から広告される計測条件及びタグＩＤに基づいて前記センサーで計測されたデータを送信すべき無線タグ装置か否かを確認して当該無線タグ装置を選択するタグ選択手段と、この選択した無線タグ装置のタグＩＤと当該無線タグ装置の前記計測条件とを前記計測データ提供手段に送り込む計測データ選択手段とを備え、
前記計測データ提供手段は、前記計測データ選択手段から送り込まれる前記計測条件を入力しその内容に適合するとして前記センサで計測したデータを前記タグＩＤの無線タグ装置へ送信することを特徴とした無線タグ処理システム。
【請求項５】
前記請求項３に記載の無線タグ装置と、前記周囲環境等のデータを測定するセンサーを有すると共に当該センサーで計測されたデータを要請に応じて前記無線タグ装置の計測データ保存手段に向けて送り込む計測データ提供手段を有する無線タグ処理装置とを備え、  前記無線タグ処理装置に、前記無線タグ装置の計測データ選択手段に対して前記無線タグ処理装置から提供し得る計測データの種別を広告する計測データ種別広告手段を設けると共に、
前記無線タグ装置側の計測データ選択手段が、この計測データ種別広告手段で広告される計測データの種別を取り込んだ後に前記計測条件と前記タグＩＤとを前記無線タグ処理装置に提示する機能を備えていることを特徴とした無線タグ処理システム。
【請求項６】
前記請求項４に記載の無線タグ処理システムにおいて、
前記無線タグ処理装置に装備された計測データ選択手段を前記無線タグ装置側へ配転装備すると共にこの配転装備した計測データ選択手段を前記タグ情報広告手段及び計測条件保存手段にそれぞれ併設し、
前記タグ選択手段が、前記無線タグ装置で収集対象とする計測データの種別を前記タグ情報広告手段から取得すると共に前記無線タグ処理装置から提供する計測データとの一致性を確認した後に提供可能な計測データの種別情報として出力する機能を有し、
このタグ選択手段から出力される計測データの種別情報を前記無線タグ装置側の計測データ選択手段に通知する計測データ種別通知手段を、前記タグ選択手段に併設したことを特徴とする無線タグ処理システム。
【請求項７】
自己のタグＩＤをタグＩＤ保存手段に格納し保存すると共に当該タグＩＤで収集対象とする計測データの計測条件を計測条件保存手段に格納し保存する第１の工程と、
この格納された前記タグＩＤおよび計測条件をタグ情報広告手段を介して外部に向けて広告（出力）する第２の工程と、
前記広告した計測条件に適合した計測データが前記タグＩＤ（識別子）にかかる無線タグ装置に入力された場合に当該計測条件に適合した計測データを受信し前記計測データ保存手段に格納する第３の工程とを備えたことを特徴とする無線タグ用データ収集方法。
【請求項８】
前記請求項７に記載の無線タグ用データ収集方法において、
前記第２の工程と第３の工程との間に、
前記広告された計測条件と前記タグＩＤとに基づいて作動しセンサーで計測したデータの提供先である無線タグ装置を特定するタグ選択工程と、この選択された無線タグ装置の計測条件とタグＩＤとをデータ提供先が要求する計測データの条件として計測データ選択手段が特定する計測データ選択工程と、この特定された計測データに対応するデータとして前記センサーで計測したデータを前記無線タグ装置へ提供する計測データ提供工程とを設けたことを特徴とする無線タグ用データ収集方法。
【請求項９】
前記請求項８に記載の無線タグ用データ収集方法において、
前記タグ選択工程で選択された無線タグ装置で収集する計測データの種別を予め前記計測データ選択手段に通知する計測データ種別通知工程を、前記タグ選択工程と前記計測データ選択工程との間に設定したことを特徴とする無線タグ用データ収集方法。
【請求項１０】
無線タグ装置に対して外部の無線タグ処理装置から提供できる計測データの種別を提示された場合に当該計測データの種別を入力するデータ種別入力工程と、
この入力された計測データの種別が当該無線タグ装置が計測条件保存手段に予め格納している計測条件に基づいて収集の対象たるデータか否かを確認する収集データ確認工程と、
この入力された計測データが収集の対象たるデータである旨確認された場合に前記無線タグ処理装置が備えている計測データ提供手段に対して当該計測条件とタグＩＤとを提示して計測データの提供を要請する計測データ要求工程と、
前記計測データ提供手段から前記計測条件とタグＩＤに対応した計測データが入力された場合に当該計測データを受信し計測データ保存手段に格納するデータ受信格納工程とを備えたことを特徴とする無線タグ用データ収集方法。
【請求項１１】
無線タグ装置から広告されるタグＩＤと収集対象である計測データの計測条件とを無線タグ処理装置側のタグ選択手段で捕捉する計測条件捕捉制御機能、
この捕捉した計測条件とタグＩＤとに対応して作動しセンサーで予め計測したデータの提供先である無線タグ装置を特定するタグ選択機能、
この選択された無線タグ装置の計測条件とタグＩＤとに基づいてデータ提供先で要求するデータの条件を計測データ選択手段を介して選択する計測データ選択制御機能、
この選択された計測データに対応したデータとして前記センサーで予め計測したデータを前記無線タグ装置へ提供する計測データ提供制御機能、
を設け、これをコンピュータに実行させるようにしたことを特徴とする無線タグ用データ収集プログラム。
【請求項１２】
前記請求項１１に記載の無線タグ用データ収集プログラムにおいて、
前記タグ選択機能で選択し特定した前記無線タグ装置にて収集する計測データの種別を前記計測データ選択手段に通知する計測データ種別通知機能を設け、
この計測データ種別通知機能により通知された計測データ種別に基づいて前記計測データ選択機能を実行する構成としたことを特徴とする無線タグ用データ収集プログラム。
【発明の詳細な説明】
【技術分野】
【０００１】
本発明は、無線タグ装置、無線タグ処理システム等に係り、特に、無線タグ装置が必要とする計測データを収集することのできる無線タグ装置、無線タグ処理システム、無線タグ用データ収集方法、及びそのプログラムに関する。
【背景技術】
【０００２】
近時においては、製品流通市場にあって、無線タグを利用して製品管理の効率を上げるための新技術が開発されている。無線タグは、「ＩＣタグ」、「電子タグ」、「非接触データキャリア」、「無線ＩＣタグ」、「非接触ＩＣ」、「非接触ＩＣラベル」、「非接触ＩＣタグ」、「ＲＦＩＤ」等と表記される場合もある。無線タグ装置は、無線タグ処理装置との間で無線通信による通信を行うことで、無線タグ装置内のメモリに記憶された個体識別符号などの情報を無線タグ処理装置が読み取ることができる。また、無線タグ処理装置から送信されたデータを無線タグ装置内のメモリに書き込むことができる。この内、情報収集に際して無線タグを利用した新技術の一例（センサータグシステム：特許文献１）を図７に示す。
この図７に開示されたセンサータグシステムは、センサータグ６００と、タグリーダ６２０とから構成されている。センサータグ６００は、センサー６０１と、計測データ保存手段６０３とから構成されている。
【０００３】
このような構成を有する従来のセンサータグシステムは次のように動作する。
即ち、センサー６０１が計測したデータを、定期的に計測データ保存手段６０３に提供する。この計測データ保存手段６０３は時系列に計測データを保存する。ここで、タグリーダ６２０は、無線を使用して、計測データ保存手段６０３から計測データを取得し得る構成となっている。
【０００４】
即ち、この図７に示す従来例（センサータグシステム）は、センサー６０１が収集した情報を保存手段６０３が保存するようにしたセンサータグ６００を備え、このセンサータグ６００で収集された情報を必要に応じて外部からタグリーダ６２０が読み出すというシステムになっている。
このため、例えば、温度センサを内蔵した温度センサタグであれば、温度センサタグ周辺の温度を周期的に測定し内部メモリに保存することができる。タグリーダ６２０からは、この温度センサがどのような温度環境で保管されていたのかを示す時系列の計測データを取得することができる。
【０００５】
又、無線タグを使用したものとして、従来より図８に示す製品流通管理システムが知られている（特許文献２参照）。
この図８に示す製品流通管理システムは、無線タグ７００と無線タグ処理装置７２０とから構成されている。この内、無線タグ７００は、タグＩＤ保存手段７０１とタグ情報広告手段７０２と計測データ保存手段７０３とを備えている。又、無線タグ処理装置７２０は、センサー７２１とタグ選択手段７２２と計測データ提供手段７２４とを備えて構成されている。
【０００６】
更に、この図８の従来例に近い公知技術として図９に示すようなセンサネットのセンサー情報管理装置及びシステムが知られている（特許文献３参照）。
この図９に示すセンサネットのセンサー情報管理装置及びシステムは、無線タグ８００と、センサノード８２０と、管理ノード８３０とから構成されている。
【０００７】
この内、無線タグ８００は、タグＩＤ保存手段８０１とタグ情報広告手段８０２とから構成される。又、センサノード８２０は、センサー８２１とタグ選択手段８２２と計測データ提供手段８２４とから構成される。管理ノード８４０は、計測データ保存手段８４１を備えた構成となっている。即ち、この図９に示す従来例では、前述した図８で無線タグ装置７００内に装備された計測データ保存手段７０３を外部に設けた管理ノード８４０内に装備した点が、図８の従来例と著しく相違する。
【０００８】
このような構成を有する図８および図９の従来例では、それぞれ、その共通部分が次のように動作する（図１０参照）。
即ち、タグ情報広告手段７０２からタグ選択手段７２２にタグＩＤを広告する（図１０ステップＳ９０１）。タグ選択手段７２２が、このタグＩＤを入力し当該タグＩＤにかかる無線タグ装置７００を環境データの計測を収集するものと判定し選択する（ステップＳ９０２）。そして、選択されたタグＩＤを備えて無線タグ装置７００へセンサー７２１から取得した計測データを計測データ保存手段７０３に送信するよう、計測データ提供手段７２４に要求する（ステップＳ９０３）。計測データ提供手段７２４は、要求に応じてタグ側の計測データ保存手段７０３に計測データを送信する（ステップＳ９０４）。このとき、計測データ保存手段７０３は、無線タグ内にあっても（図８の場合）、或いは図９のように無線タグ外にあってもよい。このようにして、無線タグの外部にあるセンサーを利用できる構成をとる事により、従来のセンサータグシステムにおける使用可能なセンサーの制約を緩めることができる。
【０００９】
【特許文献１】特開２００４−０１４４６８号公報
【特許文献２】特開２００４−２９２１４７号公報
【特許文献３】特開２００５−２８４３４１号公報
【発明の開示】
【発明が解決しようとする課題】
【００１０】
しかしながら、この図７に示す従来のセンサータグシステム（特許文献１のもの）では、使用できるセンサが、センサータグ内に配置できるものに制約される。センサータグ内に配置するには、センサのサイズや消費電力に、又データ保存手段にあってはそのメモリ容量に、それぞれ制約が多いという不都合があった。
【００１１】
又、上記図８乃至図９に示す従来例では、保存される測定データは、タグの外部にある無線タグ処理装置で決定されるため、もし、無線タグ処理装置で計測している計測データが多種多様で、測定データ量が多い場合には、何らかの判定基準がなければ、全ての計測データを保存させなければならず、より大きい容量のメモリを必要とする、という不都合が生じる。
即ち、計測データを無線タグ内に保存する場合には、メモリサイズがあふれてしまう問題が発生する。又、無線タグと無線タグ処理装置間の無線を使った伝送速度は低いため、保存に時間がかかってしまうという不都合が生じていた。
【００１２】
ここで、タグ毎に保存する計測データを定義して解決することが考えられるが、各無線タグ装置が収集している計測データ種別を、その無線タグ装置を処理しうる全ての無線タグ処理装置に予め設定する必要が出てくる。
一方、各無線タグ処理装置とネットワークで接続した管理コンピュータに計測データ種別を格納し、各無線タグ処理装置から読み取ることも可能だが、ネットワークの敷設コストおよび管理コンピュータの管理コストなどのランニングコストが、増大する等の不都合が新たに生じる。
【００１３】
更に、上述した各従来例にあっては、無線タグ装置の一つであるセンサータグでは、内蔵したセンサーで計測したデータしか収集できないという不都合があった。
また、無線タグ装置外のセンサーで計測した計測データを無線タグ装置と関連付けて利用する場合には、各無線タグ装置が収集している計測データ種別を、その無線タグ装置を処理し得る全ての無線タグ処理装置に予め設定しなければならないという不都合があった。
【００１４】
（発明の目的）
本発明は、上記従来例に有する不都合を改善し、特に、必要とする情報を効率よく収集し且つ収集したデータを少ないメモリ容量で有効に保持することを可能とした無線タグ装置、無線タグ処理システム、無線タグ用データ格納方法、およびそのプログラムを提供することを、その目的とする。
【課題を解決するための手段】
【００１５】
上記目的を達成するため、本発明にかかる無線タグ装置は、自己のタグＩＤを格納し保存するタグＩＤ保存手段と、周囲環境等にかかる計測データを格納し保存する計測データ保存手段とを備え、外部からの要請に応じて前記保存された各情報を出力し又は他の情報を入力可能に構成されている。そして、前述した計測データ保存手段で保存する計測データの条件を計測条件として特定し記憶する計測条件保存手段を設け、この保存された計測条件を外部からの要請に応じて前記タグＩＤと共に広告可能にする、という構成を採っている（請求項１）。
【００１６】
このため、これによると、無線タグ装置が収集を希望する計測データに集中して外部装置に広告されるので、その広告内容に適合した外部装置からのデータ提供に限定して収集する事が可能となり、少ないメモリ容量の有効利用が可能となり装置全体の小型化が可能となる。
【００１７】
ここで、前述したタグＩＤとこれに対応した前記計測データの計測条件とを前記タグＩＤ保存手段及び計測条件保存手段からそれぞれ抽出し外部に向けて広告するタグ情報広告手段を、前記タグＩＤ保存手段に併設するように構成してもよい（請求項２）。
又、前述した計測条件と前記タグＩＤとに基づいて作動し、前記計測データ保存手段に送り込む計測データの条件を、外部装置の計測データ提供手段に対して設定する計測データ選択手段を具備する構成としてもよい（請求項３）。
【００１８】
又、上記目的を達成するため、本発明にかかる無線タグ処理システムは、自己のタグＩＤを格納し保存するタグＩＤ保存手段と周囲環境等にかかる計測データを格納し保存する計測データ保存手段とを有し、外部からの要請に応じて前記保存された各情報を出力し又は他の情報を入力可能に構成された無線タグ装置と、前記周囲環境等のデータを測定するセンサーを有すると共に当該センサーで計測されたデータを要請に応じて前記無線タグ装置の計測データ保存手段に向けて送り込む計測データ提供手段を有する無線タグ処理装置とを備えている。
更に、上述した無線タグ装置は収集する計測データの条件を計測条件として特定し記憶する計測条件保存手段を備え、無線タグ処理装置は、前記無線タグ装置から広告されるタグＩＤが前記センサーで計測されたデータを送信すべき無線タグ装置か否かを確認して後に当該無線タグ装置を選択するタグ選択手段と、この選択した無線タグ装置のタグＩＤと当該無線タグ装置の前記計測条件とを前記計測データ提供手段に送り込む計測データ選択手段とを備えている。
そして、前述した計測データ提供手段は、前記計測データ選択手段から送り込まれる前記計測条件を入力しその内容に適合するとして前記センサで計測したデータを前記タグＩＤの無線タグ装置へ送信する、という構成を採っている（請求項４）。
【００１９】
このため、これによると、無線タグ処理装置からは無線タグ装置が収集を希望する計測データのみを事前に確認してから提供することが可能となり、無線タグ装置にとって希望する計測データのみを高精度に且つ迅速に収集することができ、少ない容量でこれを保持し得るので、無線タグの小型化が可能となる。
【００２０】
ここで、前述した無線タグ装置と、周囲環境等のデータを測定するセンサーを有すると共に当該センサーで計測されたデータを要請に応じて前記無線タグ装置の計測データ保存手段に向けて送り込む計測データ提供手段を有する無線タグ処理装置とを備え、この無線タグ処理装置に、前記無線タグ装置の計測データ選択手段に対して前記無線タグ処理装置から提供し得る計測データの種別を広告する計測データ種別広告手段を設けると共に、前記無線タグ装置側の計測データ選択手段が、この計測データ種別広告手段で広告される計測データの種別を取り込んだ後に前記計測条件と前記タグＩＤとを前記無線タグ処理装置に提示する機能を備えている、という構成を採ってもよい（請求項５）。
【００２１】
更に、前述した無線タグ処理システムにあっては、前述した無線タグ処理装置に装備された計測データ選択手段を前記無線タグ装置側へ配転装備すると共にこの配転装備した計測データ選択手段を前記計測条件保存手段に併設し、前記無線タグ処理装置側のタグ選択手段が、前記無線タグ装置で収集する計測データの種別を前記タグ情報広告手段から取得し前記無線タグ処理装置から提供する計測データとの一致性を確認した後に当該計測データの種別情報を出力する機能を有すると共に、このタグ選択手段から出力される計測データの種別情報を前記無線タグ装置側の計測データ選択手段に通知する計測データ種別通知手段を、前記タグ選択手段に併設する、という構成としてもよい（請求項６）。
【００２２】
更に、上記目的を達成するため、本発明にかかる無線タグ用データ収集方法は、自己のタグＩＤをタグＩＤ保存手段に格納し保存すると共に当該タグＩＤで収集対象とする計測データの計測条件を計測条件保存手段に格納し保存する第１の工程と、この格納された前記タグＩＤおよび計測条件をタグ情報広告手段を介して外部に向けて広告（出力）する第２の工程と、前記広告した計測条件に適合した計測データが前記タグＩＤ（識別子）にかかる無線タグ装置に入力された場合に当該計測条件に適合した計測データを受信し前記計測データ保存手段に格納する第３の工程とを備える、という構成を採っている（請求項７）。
このため、これによると、無線タグ装置が収集を希望する計測データに集中して外部装置に広告し且つデータ収集するため、効率のよいデータ収集ができ、少ないメモリ容量の有効利用が可能となり、無線タグ装置の小型化が可能となる。
【００２３】
ここで、前記広告された計測条件と前記タグＩＤとに基づいて作動しセンサーで計測したデータの提供先である無線タグ装置を特定するタグ選択工程と、この選択された無線タグ装置の計測条件とタグＩＤとをデータ提供先で要求する情報の条件として計測データ選択手段が特定する計測データ選択工程と、この特定された計測データに対応するデータとして前記センサーで計測したデータを前記無線タグ装置へ提供する計測データ提供工程とを設け、この各工程を前述した第２の工程と第３の工程との間に設定するように構成してもよい（請求項８）。
【００２４】
又、前記タグ選択工程で選択された無線タグ装置が収集する計測データの種別を前記計測データ選択手段に通知する計測データ種別通知工程を設け、この計測データ種別通知工程を、前記タグ選択工程と前記計測データ選択工程との間に設定するように構成してもよい（請求項９）。
【００２５】
また、上記目的を達成するため、本発明にかかる無線タグ用データ収集方法は、無線タグ装置に対して外部の無線タグ処理装置から提供できる計測データの種別を提示された場合に当該計測データの種別を入力するデータ種別入力工程と、この入力された計測データの種別が当該無線タグ装置が計測条件保存手段に予め格納している計測条件に基づいて収集の対象たるデータか否かを確認する収集データ確認工程と、この入力された計測データの種別が収集の対象たるデータである旨確認された場合に前記無線タグ処理装置が備えている計測データ提供手段に対して当該計測条件とタグＩＤとを提示して計測データの提供を要請する計測データ要求工程と、前記計測データ提供手段から前記計測条件とタグＩＤに対応した計測データが入力された場合に当該計測データを受信し計測データ保存手段に格納するデータ受信格納工程とを備える、という構成を採っている（請求項１０）。
【００２６】
更に、上記目的を達成するため、本発明にかかる無線タグ用データ収集プログラムでは、無線タグ装置から広告されるタグＩＤと収集対象である計測データの計測条件とを無線タグ処理装置側のタグ選択手段で捕捉する計測条件捕捉制御機能、この捕捉した計測条件とタグＩＤとに対応して作動しセンサーで予め計測したデータの提供先である無線タグ装置を特定するタグ選択機能、この選択された無線タグ装置の計測条件とタグＩＤとに基づいてデータ提供先で要求するデータの条件を計測データ選択手段を介して選択する計測データ選択制御機能、およびこの選択された計測データに対応したデータとして前記センサーで予め計測したデータを前記無線タグ装置へ提供する計測データ提供制御機能、を設け、これをコンピュータに実行させるようにしたことを特徴とする（請求項１１）。（請求項８対応：第１，第３実施形態対応）。
【００２７】
このようにすると、外部装置側からは無線タグ装置が収集を希望する計測データに限定して当該無線タグ装置に対して計測データの送出処理が実行されるので、高精度に且つ迅速に、データ収集処理を実行することができるという利点がある。
【００２８】
ここで、前述したタグ選択機能で選択し特定した前記無線タグ装置にて収集する計測データの種別情報を前記計測データ選択手段に通知処理する計測データ種別通知機能を設けると共に、この計測データ種別通知機能により通知された計測データ種別に基づいて前記計測データ選択機能を実行する構成としてもよい（請求項１２）。
【発明の効果】
【００２９】
本発明は以上のように構成され機能するので、これによると、無線タグ装置が収集したい計測データを外部装置が収集したものを取り込むようにしたので、内部にセンサーを装備する必要性が無くなり、又収集したいデータを計測条件等によって限定表示したので、所望するデータのみを効率良く収集することができ、これがため、少ないメモリ容量で収集したいデータを有効に確保することができ、タグ全体の小型化が可能となるという従来にない優れた無線タグ装置、無線タグ処理システム、無線タグ用データ収集方法、及びそのプログラムを提供することができる。
【発明を実施するための最良の形態】
【００３０】
〔第１の実施形態〕
次に、本発明の第１の実施形態を、図１乃至図２に基づいて説明する。
最初に、本実施形態における無線タグ装置および無線タグ処理システムの要点を説明し、その後にシステム全体を詳細に説明する。
【００３１】
まず図１において、本第１実施形態における無線タグ処理システムは、無線タグ装置１と、無線タグ処理装置２とを備えて構成されている。
無線タグ装置１は、自己のタグＩＤを格納し保存するタグＩＤ保存手段１１と、周囲環境等にかかる計測データを格納し保存する計測データ保存手段１３とを備え、外部からの要請（例えば、後述する無線タグ処理装置２）からのアクセスに応じて前記保存された各情報を出力し又は他の情報を入力可能に構成されている。又、この無線タグ装置１は、前述した計測データ保存手段１３で保存する計測データの条件を計測条件として特定し記憶する計測条件保存手段１４を備えており、この保存された計測条件を外部からの要請に応じて前記タグＩＤと共に広告可能に構成されている。
【００３２】
ここで、前述した計測条件とタグＩＤとを外部に対して広告するに際しては、例えばタグ情報広告手段１２を前記タグＩＤ保存手段１１に併設した状態で無線タグ装置１内に設ける。そして、このタグ情報広告手段１２が、前述したタグＩＤとこれに対応した前記計測データの計測条件とを前記タグＩＤ保存手段１１及び計測条件保存手段１４からそれぞれ抽出し外部に向けて広告するように機能させるように構成しても良い。
【００３３】
又、前述した無線タグ処理装置２は、前記周囲環境等のデータを測定するセンサー２１を有すると共に当該センサー２１で計測されたデータを要請（例えば上述したタグ情報広告手段１２から出力される広告又はこれに準ずる状態）に応じて前記無線タグ装置１の計測データ保存手段１３に向けて送り込む計測データ提供手段２４を備えている。
又、この無線タグ処理装置２は、前述した無線タグ装置１から広告されるタグＩＤが前記センサー２１で計測されたデータを送信すべき無線タグ装置か否かを確認して後に当該無線タグ装置１を選択するタグ選択手段２２と、この選択した無線タグ装置１のタグＩＤと当該無線タグ装置１の前記計測条件とを前記計測データ提供手段２４に送り込む計測データ選択手段２３とを備えている。そして、この計測データ提供手段２３は、前記計測条件を確認して前記センサー２１で計測したデータを前記タグＩＤの無線タグ装置１へ送信する機能を備えている。
【００３４】
以下、これを更に詳述する。
上記各手段は、それぞれ次のような機能を備えている。
タグＩＤ保存手段１１は、無線タグ装置固有のＩＤであるタグＩＤを保存し、タグ情報広告手段１２からの要求に応じて予め保持しているタグＩＤを提供する。
計測条件保存手段１４は、無線タグ装置１が収集したい計測データに関する条件である計測条件を予め保存し、タグ情報広告手段１２からの要求に応じて、この計測条件を提供する。この計測条件は、例えば本実施形態では「計測データ種別が温度であること」をその内容としている。
【００３５】
前述したタグ情報広告手段１２は、タグＩＤ保存手段１１及び計測条件保存手段１４とからそれぞれ取得するタグＩＤと計測条件とを、無線タグ処理装置２に対して広告する機能を備えている。広告は無線通信（図示せず）を介して周期的に行う。この周期的な広告は、前述したタグ情報広告手段１２が備えている無線通信機能によって実行されるようになっている。
又、計測データ保存手段１３は、無線タグ処理装置２から提供された計測データを保存する機能を備えている。
【００３６】
上記した無線タグ装置１からみて外部装置である無線タグ処理装置２は、周囲環境の計測データを検出するセンサー２１と、このセンサー２１で計測したデータを前述した無線タグ装置１等へ送るための計測データ提供手段２４とを備えている。センサー２１による計測は、本実施形態では予め設定されたプログラムに従って図示しない制御部によって制御され定期的に行われるようになっている。尚、センサー２１としては、複数のセンサーを配設し、計測データ提供手段２４に対して、それぞれの計測データを提供するように構成してもよい。また、センサー２１は定期的に収集した計測データのログを計測データ提供手段２４に提供するように構成してもよい。
【００３７】
この無線タグ処理装置２は、更に、タグ選択手段２２と計測データ選択手段２３とを備えている。
タグ選択手段２２は、無線タグ装置１から広告されたタグＩＤに基づき、計測データを送信するかどうかを判別する機能を備えている。計測データの送信に際しては、計測データ選択手段２３に対し、前記タグ情報広告手段１２から取得したタグＩＤおよび広告された計測条件を同時に通知する機能を備えている。
【００３８】
計測データ選択手段２３は、無線タグ装置１からタグ選択手段２２を介して広告された計測条件に基づき、計測データを送信するかを判別する機能を備えている。送信する場合、計測データ提供手段２４にタグＩＤおよび計測条件を通知する。
この計測データ提供手段２４は、センサー２１から送られて来る計測データを時系列で保存する。そして、計測データ選択手段２３からの要求に応じて、無線タグ装置１に対し、無線を介して計測データを送信する。
【００３９】
（動作説明）
次に、上記第１実施形態の動作を、図２のシーケンス図を参照して説明する。
ここで、本第１実施形態における無線タグ装置１および無線タグ処理装置２において、センサー２１を「温度」を計測する温度センサーとし、計測データ種別は「温度」、タグＩＤは「100010001000」、計測条件は、「計測データ種別が温度であること」、タグの選択条件は「どのタグＩＤであっても選択する」とする。他の実施形態においても同様とする。
【００４０】
まず最初に、前述したタグＩＤ格納手段１１および計測条件保存手段１４の各々には、前述した無線タグ装置１の構成が成立した時点で、最初に必要な情報が格納される。即ち、無線タグ装置１にあっては、自己のタグＩＤ（識別子）をタグＩＤ格納手段１１に保存すると共に当該タグＩＤに対応して収集対象とする計測データの前述した計測条件を計測条件保存手段１４に格納され保存される（第１の工程）。
【００４１】
次に、無線タグ装置１にて必要とする計測データの収集に際しては、前述したタグＩＤ格納手段１１および計測条件保存手段１４に格納されているタグＩＤと計測条件とが、各々タグ情報広告手段１２を介して外部（若しくは外部装置）に向けて広告（出力）される。この場合、本実施形態では、無線タグ処理装置２のタグ選択手段２２に向けて広告される（図２のステップＳ１０１：第２の工程）。
ここで、タグＩＤとして「100010001000」が、計測条件として「計測データ種別が温度であること」が、それぞれ広告される。
【００４２】
次に、タグ情報広告手段１２による広告に対し、その受信を契機として（広告受信のタイミングで）タグ選択手段２２が作動し、受信したタグＩＤから計測データの送信先である無線タグ装置１を選択する（ステップＳ１０２：タグ選択工程）。もし、選択対象たる無線タグ装置がない場合、一般には処理は終了する。本実施施形態では、予め設定されたタグの選択条件「どのタグＩＤであっても選択する」があり、これに従ってタグＩＤ「100010001000」が選択される。
【００４３】
そして、タグ選択手段２２が無線タグ装置１を選択した場合、受信したタグＩＤと計測条件とが計測データ選択手段２３に送信される（ステップＳ１０３）。即ち、タグＩＤとして、「100010001000」、計測条件として「計測データ種別が温度であること」が計測データ選択手段２３に通知される。
【００４４】
続いて、計測データ選択手段２３は、受信した計測条件から無線タグ処理装置２側からの計測データの提供が可能かどうかを判別し、提供可能であれば、どの計測データを送信するかを選択する（ステップＳ１０４：計測データ選択工程）。提供不可能な場合は処理を終了する。この場合、本実施形態では、予め設定された計測条件「計測データ種別が温度であること」に対して、計測データ種別が「温度」であるため、センサー２１によって計測された温度データが選択される。
【００４５】
次に、上記計測データ選択手段２３は、計測データ提供手段２４に対して、計測データ提供先のタグＩＤおよび提供する計測データの内容を通知する（ステップＳ１０５）。ここで、タグＩＤとして「100010001000」が、計測データの内容として「計測データ種別が温度であること」が、それぞれ計測データ提供手段２４に通知される。
そして、この計測データ提供手段２４に通知された計測データは、当該無線タグ処理装置２の計測データ提供手段２４から特定されたタグ１Ｄの無線タグ装置１に送信される（ステップＳ１０６：計測データ提供工程）。そして、この送信された計測データ、即ち、無線タグ装置１側からみて前記広告した計測条件に適合した計測データが前記タグＩＤ（識別子）にかかる無線タグ装置１に入力された場合、当該計測条件に適合した計測データとしてこれを受信し前記計測データ保存手段に格納する（第３の工程）。かかる一連の送信動作は、センサー２０１が温度データを測定するたびに、この温度データの送信が行われる。
【００４６】
ここで、上記第１実施形態では、センサー２１として温度センサーを使用する場合を例示したが、センサー２１としては、湿度センサー、照度センサー、紫外線センサー、炭酸ガスセンサ、衝撃センサー、或いはその他の生体センサーや化学センサーなどに適用することも可能である。
また、上記第１実施形態では、センサー２１が１つである場合について取り上げたが、複数個のセンサーを無線タグ処理装置２に配置してもよい。また，複数種類のセンサーを配置してもよい。
【００４７】
更に、上記第１実施形態では、計測条件として、計測データ種別を指定したが、場所種別、時間帯、測定データ値、もしくは、それら計測条件を組み合わせたものを指定する構成としてもよい。場所指定と計測データ種別を組み合わせた例としては、例えばトラックの中で輸送中のときにだけ衝撃データを収集したい場合は「計測データ種別が衝撃で、かつ、場所種別が移動する」となる。又、ある一定温度以上のデータだけ収集したい場合、「計測データ種別が温度で、且つ計測データ値が５℃以上」となる。
更に、上記第１実施形態では、タグ選択条件として全てのタグＩＤを許容した場合を例示したが、電波強度、タグＩＤのパターン、又はそれらタグ選択条件の組み合わせ、を指定しても良い。
【００４８】
更に、上記第１実施形態では、タグ情報広告手段１２は周期的に広告を行ったが、指定時刻になったときに広告を行うようにしても良い。また、無線タグ装置１に衝撃センサーを取り付け、ある一定の衝撃が加わった場合にそのタイミングで広告を行うようにしても良い。更に、無線タグ装置１にボタン等のスイッチを取り付け、それを押すことで広告を実行するようにしても良い。
また、本第１実施形態にあって、計測データ提供手段２４が計測データを提供する先は、無線タグ装置１とは別のデータベース、若しくは別の通知システム（例えば、携帯電話のメール）であってもよい。
【００４９】
（第１実施形態の効果）
第１の効果は、無線タグ装置１が収集したい計測データが無線タグ装置１外で収集されていても、無線タグ装置１に収集させられることにある。
その理由は、無線タグ装置１が外部装置である無線タグ処理装置２に対して収集したい計測データの条件を提示し、無線タグ処理装置２がそれに応じて無線タグ装置に対して計測データを提供するためである。
【００５０】
第２の効果は、無線タグ処理装置２に対して、どの無線タグ装置がどのような計測データを収集しているかの情報を、予め無線タグ処理装置２に設定しておく必要がなくなることである。その理由は、無線タグ装置１自体が、無線タグ処理装置２に対して収集したい計測データの条件を提示するためである。
【００５１】
第３の効果は、無線タグ処理装置２が多種多様な計測データを提供できるとしても、無線タグ装置１が必要とする計測データのみを収集でき、計測データの送信にかかる時間を短縮できることにある。その理由は、無線タグ装置１自体が、無線タグ処理装置２に対して収集したい計測データの条件を提示するためである。
【００５２】
このため、本第１実施形態にあっては、無線タグ装置１が必要とする情報の条件を外部装置（無線タグ処理装置２）に対して広告するように構成したので、当該外部装置（無線タグ処理装置２）が確実に収集し提供してくれる。このため、無線タグ装置１としては、必要とする計測データの条件を広告することにより当該必要とする計測データのみを収集することができ、これがため、少ないメモリ容量で必要な計測データのみが格納されることとなり、このため、計測データ全てを収集していた従来例に比較してメモリ容量を著しく小さくすることができ、無線タグ装置１の大幅な小型化が可能となるという利点が得られる。
【００５３】
ここで、上述した各構成部材の連携動作にあって、各工程が実行する内容をデータ処理手順としてプログラム化しコンピュータに実行させるように構成してもよい。このようにしても、前述した実施形態の有する作用効果と同様の作用効果を得ることができる。
【００５４】
〔第２の実施形態〕
次に、本発明の第２の実施形態を図３乃至図４に基づいて説明する。
ここで、前述した第１実施形態（図１）の場合と同一の構成部材については同一の符号を用いるものとする。
【００５５】
まず図３において、本第２実施形態における無線タグ処理システムは、無線タグ装置３と、無線タグ処理装置４とを備えて構成されている。
無線タグ装置３は、前述した第１の実施形態（図１参照）の場合と同様に、自己のタグＩＤを格納し保存するタグＩＤ保存手段１１と、周囲環境等にかかる計測データを格納し保存する計測データ保存手段１３とを、前述した第１実施形態の場合と同様の形態をもって構成されている。また、この無線タグ装置１は、前述した計測データ保存手段１３で保存する計測データについての条件を計測条件として特定し記憶した計測条件保存手段１４を備えており、この保存された計測条件を他からの要請に応じて前記タグＩＤと共に出力可能に構成されている。
【００５６】
この第２の実施形態では、前述した第１の実施形態が備えているタグＩＤ保存手段１１に代えて同じ位置に、計測データ選択手段３５が配設されている。
この計測データ選択手段３５は、前述したタグＩＤ保存手段１１に対してタグＩＤを、計測条件保存手段１４に対しては計測条件を、それぞれ取得要請して直接取得する機能を有している。
【００５７】
更に、この計測データ選択手段３５は、この取得した前記計測条件と前記タグＩＤとに基づいて作動し、前記計測データ保存手段１３に送り込まれる計測データの条件を外部装置（本実施形態では無線タグ処理装置４）の計測データ提供手段２４に対して設定し、これによって無線タグ装置３で収集している計測データと前記計測データ提供手段２４で扱う計測データの同一性を保証する機能を備えている。
これにより、無線タグ装置１側では、少ない構成手段で所望する計測データのみを積極的に且つ迅速に収集し得るように構成され、これによって無線タグ装置１のより一層の小型化を図っている。
【００５８】
又、前述した外部装置である無線タグ処理装置４は、前述した第１実施形態の場合と同様に、周囲環境の計測データを検出するセンサー２１と、このセンサー２１で計測したデータを前述した無線タグ装置１等へ送るための計測データ提供手段２４とを備えている。これらセンサー２１と計測データ提供手段２４とは、何れも前述した第１実施形態の場合と同様の機能を備えて構成されている。更に、この前述した計測データ提供手段２４は、前述した無線タグ装置１側の計測データ選択手段３５から無線を介して送り込まれる計測条件に対してこれを受信すると共に、前記センサー２１による計測データが計測条件に対応するものである場合に、これに応答して対応する無線タグ装置１へ当該計測データを無線で送り込む計測条件受信応答機能を備えている。
【００５９】
尚、このセンサー２１による計測は、本第２実施形態でも、予め設定されたプログラムに従って図示しない制御部によって制御され定期的に行われるようになっている。尚、センサー２１としては、複数のセンサーを配設し、計測データ提供手段２４に対して、それぞれの計測データを提供するように構成してもよい。
【００６０】
この無線タグ処理装置４は、更に、計測データ種別広告手段４５を備えている。この計測データ種別広告手段４５は、前記無線タグ装置３の計測データ選択手段３５に対して前記無線タグ処理装置４から提供し得る計測データの種別を広告する機能を備えている。
これにより、前述した無線タグ装置３側の計測データ選択手段３５は、前述した無線タグ処理装置４が、当該無線タグ装置３で収集可能な計測データを対象としているか否かを事前に（計測条件を計測データ提供手段２４に提示する前に）知ることができ、これによって無線タグ装置３で収集可能な計測データを扱っている無線タグ処理装置４を、確実に且つ迅速（瞬時）に特定することができ、計測データの収集能率を一段と向上させることが可能となっている。
【００６１】
このため、前述した計測データ提供手段２４は、前記計測データ選択手段３５から無線を介して送り込まれる計測条件が当該無線タグ処理装置４で扱っている計測データとの内容の一致を確認した後にタグＩＤと共に送られて来ることから、当該タグＩＤの無線タグ装置３の計測データ保存手段１３へ当該計測データを送るように構成されている。
【００６２】
即ち、この第２の実施形態では、構成各部がそれぞれ次のように連携動作可能に有機的に結合されている。
前述した計測データ種別広告手段４５は、無線タグ装置３に対し、計測データ提供手段２４が提供できる計測データの種別を無線を介して外部に広告する機能を備えている。又、この計測データ種別広告手段４５は、前述した広告動作を周期的に実行する機能を備えている。そして、前述した無線タグ装置３側の計測データ選択手段３５は、無線タグ処理装置４から広告された計測データ種別を受信すると、計測条件保存手段１４から計測条件を取得し、無線タグ処理装置４が所望の計測データを提供しているかを判別する。提供している場合、タグＩＤ保存手段１１よりタグＩＤを取得し、無線タグ処理装置４側の計測データ提供手段２４に対して、タグＩＤおよび計測条件を無線で送信する。
【００６３】
このため、計測データ提供手段２４は、上述したように、前述した無線タグ装置３側の計測データ選択手段３５からのタグＩＤおよび計測条件を受信すると、直ちに作動して無線タグ装置３の計測データ保存手段１３へ当該計測データを送るようになっている。
【００６４】
次に、上記第２実施形態の動作を、図３乃至図４に基づいて具体的に説明する。
まず、無線タグ処理装置４側の計測データ種別広告手段４５は、前述したように、自己の無線タグ処理装置４側から提供できる計測データの種別を、計測データ選択手段３５に広告する（図４ステップＳ２０１）。ここで、計測データ種別「温度」が広告される。
【００６５】
一方、この無線タグ処理装置４側から、提供できる計測データの種別が提示された場合に当該種別情報を無線タグ装置３の計測データ選択手段３５が当該種別情報を入力する（データ種別入力工程）。この広告の受信を契機として、計測データ選択手段３５は、受信した計測データ種別を、計測条件保存手段１４から取得した計測条件に基づいて収集の対象たる種別か否かを確認する。即ち、どの計測データを取得するのかを選択する（ステップＳ２０２：収集データ確認工程）。もし取得する計測データがなければ処理を終了する。ここで、計測条件は「計測データ種別が温度であること」と計測データ種別は「温度」であることが本実施形態では事前に設定されていることから、計測データ種別が温度の計測データが選択される。
【００６６】
そして、取得する計測データが確認された場合、計測データ選択手段３５は、タグＩＤ保存手段１１からタグＩＤを取得し、計測データ提供手段２４に対して、タグＩＤおよび測定条件を送信し、計測データの提供を要請する（ステップＳ２０３：計測データ要求工程）。即ち、計測データ提供手段２４に対して、タグＩＤは「100010001000」、計測条件は「計測データ種別が温度であること」が送信される（ステップＳ２０４）。
この計測データ提供手段２４から前記計測条件とタグＩＤに対応した計測データが入力された場合、前述した計測データ保存手段１３は当該計測データを受信し格納する（データ受信格納工程）。
かかる工程は、前述したセンサー２１が温度データを測定するたびに、当該温度データの送信が行われる。
【００６７】
ここで、上記実施形態では，センサー２１として温度センサーを取り上げたが、湿度センサー、照度センサー、紫外線センサー、炭酸ガスセンサ、衝撃センサー、その他の生体センサーや化学センサーなどを適用することも可能である。又、上記第２実施形態では、センサー２１が１つである場合について例示したが、複数個のセンサーを無線タグ処理装置４に配置してもよい。センサーの種類については、複数種類のセンサーを配置するように構成してもよい。
【００６８】
更に、上記第２の実施形態では、計測条件として、計測データ種別を指定したが、場所種別、時間帯、測定データ値、若しくはそれら計測条件を組み合わせたものを指定することも可能である。又、計測条件として受信した計測データ種別の電界強度を指定することも可能である。
【００６９】
また、上記第２の実施形態で、計測データ種別広告４５は周期的に広告を行う場合について例示したが、指定時刻になったことを契機に広告するように構成してもよい。更に、センサー２１がデータを計測したことを契機に広告してもよい。更に、上記第２の実施形態では、計測データ提供手段２４が計測データを提供する先は無線タグ装置３とは別のデータベース、若しくは通知システム（例えば、携帯電話のメール）であってもよい。
【００７０】
（第２実施形態の効果）
次に、上記第２実施形態の効果について説明する。
第１の効果は、無線タグ装置３が収集したい計測データが無線タグ装置３外で提供されていても、無線タグ装置３に収集させられることにある。その理由は、無線タグ処理装置４が無線タグ装置３に対して収集可能な計測データ種別を提示し、無線タグ装置３がそれに応じて、収集する計測データを選択するためである。
【００７１】
第２の効果は、無線タグ処理装置４に対して、どの無線タグ装置３がどのような計測データを収集しているかの情報を、予め無線タグ処理装置４に設定しておく必要がなくなることである。その理由は、無線タグ装置３自体が、無線タグ処理装置４に対して収集したい計測データを提示するためである。
【００７２】
第３の効果は、無線タグ処理装置４が多種多様な計測データを提供できるとしても、無線タグ装置３が必要とする計測データのみを収集でき、計測データの送信にかかる時間を短縮できることにある。その理由は、無線タグ装置３自体が、無線タグ処理装置４に対して収集したい計測データを提示するためである。
【００７３】
このため、本第２実施形態にあっては、無線タグ装置３が必要とする情報の種別を外部装置である無線タグ処理装置４からの情報を受けてから判断し取得するようにしたので、当該外部装置（無線タグ処理装置４）に対して広告する手間が不要となり、しかも対応する種別の計測データを発信可能な外部装置（無線タグ処理装置４）を選択することができ、このため、無線タグ装置１としては、必要とする計測データのみを直ちに収集することができ、これがため、少ないメモリ容量で必要な計測データのみが格納されるばかりでなく、広告の手間が不要であることから、更に装置全体の小型化およびデータ収集の迅速化を図り得るという利点が得られる。
【００７４】
ここで、上述した各構成部材の連携動作にあって、各工程が実行する内容をデータ処理手順としてプログラム化しコンピュータに実行させるように構成してもよい。
このようにしても、上述した第２実施形態の有する作用効果と同様の作用効果を得ることができる。
【００７５】
〔第３の実施形態〕
次に、本発明の第３の実施形態を図５乃至図６に基づいて説明する。
ここで前述した図１および図３に開示した実施形態と同一の構成部材については同一の符号を用いることとする。
【００７６】
まず、図５に示すように、この第３の実施形態における無線タグ処理システムは、無線タグ装置５と、無線タグ処理装置６とを備えて構成されている。
無線タグ装置５は、自己のタグＩＤを格納し保存するタグＩＤ保存手段１１と、周囲環境等にかかる計測データを格納し保存する計測データ保存手段１３とを備え、外部からの要請（例えば、無線タグ処理装置６）からのアクセスに応じて前記保存された各情報を出力し又は他の情報を入力可能に構成されている。
又、この無線タグ装置１は、前述した計測データ保存手段１３で保存する計測データの条件を計測条件として特定し記憶する計測条件保存手段１４を備えており、この保存された計測条件と前述しタグＩＤとは、タグＩＤ保存手段１１等を介して所定のタイミングで一又は二以上の外部装置（無線タグ処理装置６）に広告可能に構成されている。
【００７７】
前述した無線タグ装置５には、前述した図１及び図３に開示した計測データ選択手段２３，３５とほぼ同等に機能する計測データ選択手段５５が装備されている。この計測データ選択手段５５は、前述した図１の実施形態と比較すると、この図１における計測データ選択手段２３が無線タグ装置１内に配転装備された形態と同等の形態となっている。
ここで、前述した計測データ選択手段５５は、無線タグ装置５内にあっては、前述した図３に開示した第２実施形態の場合と同様に、タグＩＤ保存手段１１および計測条件保存手段１４にそれぞれ併設されている。
【００７８】
又、前述した無線タグ処理装置６は、前述した図１の第１実施形態の場合と同様に、前記周囲環境等のデータを測定するセンサー２１を有すると共に当該センサー２１で計測されたデータを要請（例えば上述したタグ情報広告手段１２から出力される広告又はこれに準ずる状態）に応じて前記無線タグ装置５の計測データ保存手段１３に向けて送り込む計測データ提供手段６４を備えている。
【００７９】
更に、この無線タグ処理装置６は、前述した無線タグ装置５から広告されるタグＩＤが前記センサー２１で計測されたデータを送信すべき無線タグ装置か否かを確認した後に当該無線タグ装置５を選択するタグ選択手段２２と、この選択した無線タグ装置５のタグＩＤと当該無線タグ装置５の前記計測条件とを計測データ提供手段６４が提供できる計測データの種別情報として無線を介して前述した計測データ選択手段５５へ送り込む計測データ種別通知手段６６とを備えている。
【００８０】
そして、前述した無線タグ装置５側の計測データ選択手段５５は、前記無線タグ装置１で収集対象とする計測データの種別を前記タグ情報広告手段１２から取得し且つ前記無線タグ処理装置６の計測データ種別通知手段６６から通知される計測データ種別との一致性を確認した後に提供可能な計測データの種別情報として前述した計測データ提供手段６４に向けて送り込む機能を備えている。
【００８１】
次に、上記第３実施形態の動作を、図５乃至図６に基づいて説明する。
まず最初に、前述した第１の実施形態の場合と同様に、タグＩＤ格納手段１１および計測条件保存手段１４の各々には、前述した無線タグ装置１の構成が成立した時点で、最初に必要な情報が格納される。即ち、無線タグ装置３にあっては、自己のタグＩＤ（識別子）をタグＩＤ格納手段１１に保存すると共に当該タグＩＤに対応して収集対象とする計測データの前述した計測条件を計測条件保存手段１４に格納され保存される（第１の工程）。
【００８２】
次に、無線タグ装置３にて必要とする計測データの収集に際しては、前述したタグＩＤ格納手段１１および計測条件保存手段１４に格納されているタグＩＤと計測条件とが、各々タグ情報広告手段１２を介して外部（若しくは外部装置）に向けて広告（出力）される。この場合、本実施形態では、無線タグ処理装置２のタグ選択手段２２に向けて広告される（図６のステップＳ３０１：第２の工程）。
ここで、タグＩＤ「100010001000」が広告される。
【００８３】
次に、タグ情報広告手段１２による広告に対し、その受信を契機として（広告受信のタイミングで）タグ選択手段２２が作動し、受信したタグＩＤから計測データの送信先である無線タグ装置１を選択する（ステップＳ１０２：タグ選択工程）。もし、選択対象たる無線タグ装置がない場合、一般には処理は終了する。本実施施形態では、予め設定されたタグの選択条件「どのタグＩＤであっても選択する」があり、これに従ってタグＩＤ「100010001000」が選択される。
【００８４】
そして、タグ選択手段２２が無線タグ装置５を選択した場合、計測データ種別通知手段６６に、受信したタグＩＤを通知する（ステップ３０３）。ここで、タグＩＤ「100010001000」が通知される。
【００８５】
タグＩＤを受信した計測データ種別通知手段６６は、前述したタグ選択手段２２で選択されたタグＩＤの無線タグ装置５の計測データ選択手段５５に対して、計測データ提供手段６４が提供できる計測データ種別を送信する（ステップ３０４：計測データ種別通知工程）。ここで、計測データ種別「温度」が通知される。
【００８６】
次に、計測データ選択手段５５は、受信した計測データ種別と、計測条件保存手段１４から取得した計測条件に基づき、どの計測データを取得するのか選択する（ステップ３０５：計測データ選択工程）。もし取得する計測データがなければ処理を終了する。計測条件「計測データ種別が温度であること」に対して、受信した計測データ種別が「温度」のため、温度種別が「温度」の計測データを選択する。
【００８７】
取得する計測データが存在する場合、計測データ選択手段５５は、タグＩＤ保存手段１１からタグＩＤを取得し、計測データ提供手段６４に対して、タグＩＤおよび計測条件を送信する（ステップ３０６）。ここで、タグＩＤ「100010001000」と計測条件「計測データ種別が温度であること」が通知される。
【００８８】
この計測データ提供手段２４に通知された計測データは、当該無線タグ処理装置２の計測データ提供手段２４から特定されたタグ１Ｄの無線タグ装置１に送信される（計測データ提供工程）。そして、この送信された計測データ、即ち、無線タグ装置１側からみて前記広告した計測条件に適合した計測データが前記タグＩＤ（識別子）にかかる無線タグ装置１に入力された場合、当該計測条件に適合した計測データとしてこれを受信し前記計測データ保存手段に格納する（第３の工程）。かかる一連の送信動作は、センサー２０１が温度データを測定するたびに、この温度データの送信が行われる。
【００８９】
ここで、上記第３実施形態では、タグ選択条件として全てのタグＩＤを許したが、電界強度、タグＩＤのパターン、およびそれらタグ選択条件の組み合わせを指定しても良い。又、上記第３実施形態ではタグ情報広告手段１２は、周期的に広告を行う場合を例示したが、指定時刻になったときに広告を行うように構成してもよい。又、無線タグ装置５にセンサーを取り付け、センサーが測定したデータがある一定条件を満たした場合に広告を行うように構成してもよい。例えば、無線タグ装置５に衝撃センサーを取り付け、ある一定の衝撃が検出された場合に、広告を行うように構成してもよい。又、無線タグ装置５にボタン等のスイッチを取り付け、それを押すことで広告を行うように構成してもよい。
【００９０】
（第３実施形態の効果）
上記第３実施形態にあっては、前述した第２の実施形態における効果に加えて、更に、無線タグ処理装置６が提供可能な計測データ種別を、特定の無線タグ装置５にのみ伝えることができる、という利点がある。その理由は、無線タグ処理装置６が、測定データの種別を通知する通知先の無線タグ装置５を選別するように構成したためである。
【００９１】
このように、本第３実施形態にあっては、無線タグ処理装置６側が備えている計測データを収集している特定の無線タグ装置５のみを選択すると共に、該当する無線タグ装置５に対しては計測データ種別を通知し無線タグ装置５を特定するように構成したので、無線タグ装置５側の計測データ選択手段５５は改めて計測条件を発信した場合には、これを受信した計測データ提供手段は、直ちにこの受信内容に適合した計測データを迅速に且つ確実に前述した計測データ保存手段１３へ送信することができるという利点がある。
【００９２】
即ち、無線タグ装置５は、必要とする情報の種別を外部装置である無線タグ処理装置６で既に判断して対応可能として当該種別情報を送り込んで来るので、直ちに計測データ選択手段５５を機能させてデータ収集に切り換えることができ、無線タグ装置５側での適合性について判断する必要性が少ないことから計測データの取込みを迅速に且つ高精度に実行することができ、効率のよい計測データの収集が可能となり、このため、無線タグ装置５としては、必要とする計測データのみを収集し得るので、少ないメモリ容量で必要な計測データのみが格納することができ装置全体の小型化およびデータ収集の迅速化を図り得るという利点が得られる。
【００９３】
ここで、上述した各構成部材の連携動作にあって、各工程が実行する内容をデータ処理手順としてプログラム化しコンピュータに実行させるように構成してもよい。
このようにしても、上述した第３実施形態の有する作用効果と同様の作用効果を得ることができる。
【産業上の利用可能性】
【００９４】
本発明によれば、温度センサー、湿度センサー、炭酸ガスセンサ、衝撃センサー、などを使って、輸送されている商品の状況を監視する物流システムといった用途に適用できる。商品としては、生鮮物、医薬品、美術品、などが考えられる。また、資産管理、設備管理、生産管理といった用途にも適用可能である。
【図面の簡単な説明】
【００９５】
【図１】本発明の第１実施形態を示すブロック図である。
【図２】図１に開示した第１実施形態の動作を示すシーケンス説明図である。
【図３】本発明の第２実施形態を示すブロック図である。
【図４】図３に開示した第２実施形態の動作を示すシーケンス説明図である。
【図５】本発明の第３実施形態を示すブロック図である。
【図６】図５に開示した第３実施形態の動作を示すシーケンス説明図である。
【図７】従来例（特許文献１）を示すブロック図である。
【図８】他の従来例（特許文献２）を示すブロック図である。
【図９】図８に開示した従来例の動作を示す説明図である。
【図１０】更に他の従来例（特許文献２）を示すブロック図である。
【符号の説明】
【００９６】
１，３，５  無線タグ装置
２，４，６  無線タグ処理装置
１１  タグＩＤ保存手段
１２  タグ情報広告手段
１３  計測データ保存手段
１４  計測条件保存手段
２１  センサー
２２  タグ選択手段
２３，３５，５５  計測データ選択手段
２４  計測データ提供手段
４５  計測データ種別広告手段
６６  計測データ種別通知手段
【図１】
2008217556.tif 000003
【図２】
2008217556.tif 000004
【図３】
2008217556.tif 000005
【図４】
2008217556.tif 000006
【図５】
2008217556.tif 000007
【図６】
2008217556.tif 000008
【図７】
2008217556.tif 000009
【図８】
2008217556.tif 000010
【図９】
2008217556.tif 000011
【図１０】
2008217556.tif 000012